(57)【要約】【課題】鉄心打抜きの材料ロスの削減をすることのできる回転電機および電動送風機を提供する。【解決手段】界磁鉄心４には、鋼板圧延方向に形成する一対の辺部１と鋼板圧延方向と直交する方向に形成する一対の辺部２とにより方形枠状が形成され、鋼板圧延方向に形成する辺部１は、鋼板圧延方向と直交する方向つまりフープ幅方向に形成する辺部２の幅１９よりも広い幅１８とすると共に、鋼板圧延方向の辺部１に界磁巻線１４を巻回するための突極部３が設けられている。これによりフープ幅方向の材料廃棄ロスが改善される。【選択図】図３
2011208516.tif 000002
【特許請求の範囲】
【請求項１】
回転するモータの軸に取り付けられた複数の羽根を有する円板形状の回転ファンと、前記モータのフレームに圧入固定され前記回転ファンを覆うように取り付けられかつ前記回転ファンの中心部に対向する位置に吸気用孔を有する椀型形状のファンケースと、前記吸気用孔に取り付けられて吸入された気体を前記回転ファンの羽根に導く略円筒形状のシーリング部を有する合成樹脂性のファンケーススペーサとを備える電動送風機の製造方法において、前記回転ファンの各回転ファン部品の組み立てのときに、前記回転ファンの上面シュラウドの吸い込み部と前記回転ファンの下面シュラウドの取り付け孔との同軸度を高めるために、前記上面シュラウドの吸い込み部と、前記下面シュラウドの取り付け孔を基準として、かしめを行うかしめ工法を含む電動送風機の製造方法。
【発明の詳細な説明】
【技術分野】
【０００１】
本発明は、主に家庭用の掃除機などに使用される電動送風機の製造方法に関する。
【背景技術】
【０００２】
従来、主に家庭用の掃除機などに使用される電動送風機の中で、特に吸込仕事率改善のために、回転ファン入口部分での空気の漏れをできる限り少なくするように、ファンカバーと回転ファン入口部の隙間を極力狭くなるようにしている。
【０００３】
従来の回転ファンを使用した電動送付機の構成について、図を用いて簡単に説明する。図４は、従来の回転ファンを使用した電動送風機の半断面図である。電動機のステータ１を内蔵したブラケットＢ２およびブラケットＡ３に、回転自在に電動機のロータ４が、組み込まれており、ブラケットＡ３の上面に回転ファン６から排出される風（気流）を効率よく流すためにエアガイド５が、取り付けられる。ロータ４の軸４１は、ブラケットＡ３側のみに、延長されており、その延長された軸４１に、回転ファン６が、固定されている。それら、回転ファン６およびエアガイド５を、覆うようにファンカバー７が、ブラケットＡ３の外周部分に圧入固定されて構成される従来の電動送風機において、回転ファン６の入口部分６１とファンカバー７に配置されるファンケーススペーサ７２のベローズ部分７１との隙間を極力狭くすることにより、回転ファン６の入り口部分６１での空気の漏れを防ぐことができ、吸い込み仕事率の改善に大きな効果を得ることができる。（例えば特許文献１）。
【先行技術文献】
【特許文献】
【０００４】
【特許文献１】特開平１１−０２２６９７号公報
【発明の概要】
【発明が解決しようとする課題】
【０００５】
本発明が解決しようとする課題は、上記のような構成からなる従来の電動送風機において、回転ファン入口部分６１と、ファンカバー７のベローズ部分７１との隙間を極力小さくするためには、ファンカバー７のブラケットＡ３との圧入部分と、ベローズ部分７１との同軸度の確保が重要である。また、回転ファン６の取り付け孔と、吸い込み口部分６１との同軸度の確保も同様に重要である。
【０００６】
しかしながら、一般的な回転ファン６の組み立て工法は、それぞれプレス加工により作成された回転ファン翼６３と上面シュラウド６２および下面シュラウド６４らを、かしめ工法により、組立て固定されて行っているが、このとき基準としているのは、図３に示されるように、上面・下面シュラウドのそれぞれの外周部分で行っているため、上面シュラウドの吸い込み部分６１と、外周部分との同軸度および、下面シュラウドの取り付け孔と外周部分の同軸度のズレが、合成さえた結果が、下面シュラウドの取り付け孔と、上面シュラウドの吸い込み口６１の同軸度の値となるため、同軸度の精度アップには、限界があり、ファンカバー７のベローズ部分との隙間を小さくすることに対しても、限界が生じており、吸い込み仕事率の改善に効果を上げることが出来なかった。
【０００７】
本発明は上記従来の課題を解決するものであり、回転ファン６の取り付け孔と、吸い込み口部分６１との同軸度を改善し、ファンカバー７のベローズ部分との隙間を小さくすることによって、吸い込み仕事率の改善に効果を上げることが出来る電動送風機用の回転ファンを提供することを目的とする。
【課題を解決するための手段】
【０００８】
上記従来の課題を解決するために、本発明は、各回転ファン部品６２、６３、６４の組み立てのときに、上面シュラウド６２の吸い込み部６１と下面シュラウド６４の取り付け孔との同軸度をアップするために、上面シュラウド６２の吸い込み部６１と、下面シュラウド６４の取り付け孔を基準として、かしめ工法を行うことで、上面シュラウド６２の吸い込み部６１と下面シュラウド６４の取り付け孔との同軸度を格段にアップすることができる。
【０００９】
具体的には、回転するモータの軸に取り付けられた複数の羽根を有する円板形状の回転ファンと、前記モータのフレームに圧入固定され前記回転ファンを覆うように取り付けられかつ前記回転ファンの中心部に対向する位置に吸気用孔を有する椀型形状のファンケースと、前記吸気用孔に取り付けられて吸入された気体を前記回転ファンの羽根に導く略円筒形状のシーリング部を有する合成樹脂性のファンケーススペーサとを備える電動送風機の製造方法において、前記回転ファンの各回転ファン部品の組み立てのときに、前記回転ファンの上面シュラウドの吸い込み部と前記回転ファンの下面シュラウドの取り付け孔との同軸度を高めるために、前記上面シュラウドの吸い込み部と、前記下面シュラウドの取り付け孔を基準として、かしめを行うかしめ工法を含む電動送風機の製造方法である。
【発明の効果】
【００１０】
本発明の回転ファン６のかしめ工法を行うことにより、上面シュラウド６２の吸い込み部６１と下面シュラウド６４の取り付け孔との同軸度を格段に向上することができるため、ファンカバー７のベローズ部分７１との隙間を小さくすることが可能となり、電動送風機の吸い込み仕事率の向上させることができる。
【図面の簡単な説明】
【００１１】
【図１】本発明の回転ファンのかしめ工法の説明図
【図２】本発明の１実施例における電動送風機の半断面図
【図３】従来の回転ファンのかしめ工法の説明図
【図４】従来の１実施例における電動送風機の半断面図
【発明を実施するための形態】
【００１２】
以下本発明を実施するための形態を、図面を参照しながら説明する。
【実施例１】
【００１３】
図１に示すように、回転ファン６の各回転ファン部品６２、６３、６４の組み立てのときに、上面シュラウド６２の吸い込み部６１と下面シュラウド６４の取り付け孔との同軸度をアップするために、上面シュラウド６２の吸い込み部６１と、下面シュラウド６４の取り付け孔を基準として、かしめ工法を行う。
【００１４】
図２は、本発明の回転ファンを使用した電動送風機の半断面図である。電動機の構成としては、従来例と同じ様に、ステータ１を内蔵したブラケットＢ２およびブラケットＡ３に、回転自在に電動機のロータ４が、組み込まれており、ブラケットＡ３の上面に回転ファン６から排出される仕事風を効率よく流すためにエアガイド５が、取り付けられる。ロータ４の軸４１は、ブラケットＡ３側のみに、延長されており、その延長された軸４１に、回転ファン６が、固定されている。それら、回転ファン６およびエアガイド５を、覆うようにファンカバー７が、ブラケットＡ３の外周部分に圧入固定されて構成される電動送風機において、回転ファン６の入口部分６１とファンカバー７に配置されるファンケーススペーサ７２のベローズ部分７１との隙間を極力狭くすることにより、回転ファン６の入り口部分６１での空気の漏れを防ぐことができ、吸い込み仕事率の改善に大きな効果を得ることができる。
【００１５】
上記のような構成からなる本発明の電動送風機において、回転ファン入口部分６１と、ファンカバー７のベローズ部分７１との隙間を極力小さくするためには、ファンカバー７のブラケットＡ３との圧入部分と、ベローズ部分７１との同軸度の確保が重要である。
【００１６】
それと同じ様に重要なのが、回転ファン６の取り付け孔と、吸い込み口部分６１との同軸度の確保である。
【００１７】
本発明の電動送風機の製造方法の回転ファン６の組み立て工法は、それぞれプレス加工により作成された回転ファン翼６３と上面シュラウド６２および下面シュラウド６４らを、かしめ工法により、組立て固定されて行っているが、このとき基準とするのが、図１に示されるように、上面シュラウド６２の吸い込み口６１と下面シュラウドの取り付け孔部分で行うため、下面シュラウドの取り付け孔と、上面シュラウドの吸い込み口６１の同軸度が、かしめ冶具の精度によって、決定されるため、同軸度の精度を格段にアップすることができ、ファンカバー７のベローズ部分との隙間を小さくすることが出来き、吸い込み仕事率の改善に効果を上げることが出来る電動送風機用の回転ファンを提供することが可能となる。
【００１８】
本発明の電動送風機の製造方法における回転ファンかしめ工法によれば、家庭用掃除機などに使用される電動送風機の中で、特に吸込仕事率改善のために、回転ファン入口部分での空気の漏れをできる限り少なくするように、ファンカバーと回転ファン入口部の隙間を極力狭くしている電動送風機に対し有用である。
【符号の説明】
【００１９】
１    ステータ
２    ブラケットＢ
３    ブラケットＡ
４    ロータ
４１  軸
５    エアガイド
６    回転ファン
６１  上面シュラウドの吸い込み口部
６２  上面シュラウド
６３  ファン翼
６４  下面シュラウド
７    ファンカバー
７１  ベローズ部
【図１】
2011208516.tif 000003
【図２】
2011208516.tif 000004
【図３】
2011208516.tif 000005
【図４】
2011208516.tif 000006